(57)【要約】  パッシブアンビエント式インイヤ型モニタが、周囲音が外耳道に通り抜け、内部ドライバによって生成される音と合成されることを可能にする一方向性音響フィルタを含む。音響低圧イコライゼーション処理装置の予め定められた空間容量が、音響フィルタを内部ドライバと連結し、生成された音と周囲音との合成音を、低周波音をほとんど劣化させずにユーザに伝達する。
2019503122.tif 000002
【特許請求の範囲】
【請求項１】
ハウジングと、
外耳道ストークと、
外表面及び内表面を含むフィルタであって、周囲音波が前記フィルタを前記外表面から前記内表面へ通り抜ける、フィルタと、
内部音波を生成する１つ又は複数の音ドライバと、
前記１つ又は複数の音ドライバ、前記外耳道ストーク、及び前記フィルタのそれぞれに連結された音響低圧イコライゼーション処理装置（「ＳＬＥＤ」）であって、前記ＳＬＥＤは、内部音波及び周囲音波を前記外耳道ストークに伝える予め定められた空間容量を含み、これにより、前記内部音波の前記外耳道ストークにおける周波数応答の程度が、周波数応答の予め定められた範囲内になる、ＳＬＥＤとを備える、パッシブアンビエント式インイヤ型モニタ。
【請求項２】
前記外耳道ストークはイヤチップを含み、前記イヤチップは外耳道を完全にふさぐ、請求項１に記載のパッシブアンビエント式インイヤ型モニタ。
【請求項３】
前記フィルタは一方向性音響フィルタである、請求項１に記載のパッシブアンビエント式インイヤ型モニタ。
【請求項４】
前記一方向性音響フィルタは、前記内表面から前記外表面へ通り抜ける内部音波を実質的に低減させる、請求項３に記載のパッシブアンビエント式インイヤ型モニタ。
【請求項５】
前記一方向性音響フィルタは、前記外表面から前記内表面へ通り抜ける周囲音波を減衰させる、請求項３に記載のパッシブアンビエント式インイヤ型モニタ。
【請求項６】
前記周囲音波は、予め定められた減少振幅で前記一方向性音響フィルタを通り抜ける、請求項５に記載のパッシブアンビエント式インイヤ型モニタ。
【請求項７】
前記一方向性音響フィルタは、周囲音を０〜１０ｄＢ減衰させる、請求項６に記載のパッシブアンビエント式インイヤ型モニタ。
【請求項８】
前記一方向性音響フィルタは、周囲音を１０〜２５ｄＢ減衰させる、請求項６に記載のパッシブアンビエント式インイヤ型モニタ。
【請求項９】
周波数応答の予め定められた範囲が±４ｄＢである、請求項１から８のいずれか一項に記載のパッシブアンビエント式インイヤ型モニタ。
【請求項１０】
前記予め定められた空間容量は、周囲音波の減衰の程度に基づいている、請求項１から９のいずれか一項に記載のパッシブアンビエント式インイヤ型モニタ。
【請求項１１】
前記外耳道ストークにおける２０〜２００００Ｈｚにわたる前記内部音波に関する周波数応答の前記予め定められた範囲は±４ｄＢである、請求項１から１０のいずれか一項に記載のパッシブアンビエント式インイヤ型モニタ。
【請求項１２】
前記外耳道ストークにおける２０〜２００００Ｈｚにわたる前記内部音波に関する周波数応答の前記予め定められた範囲は±６ｄＢである、請求項１から１１のいずれか一項に記載のパッシブアンビエント式インイヤ型モニタ。
【請求項１３】
前記外耳道ストークにおける２０〜２０００Ｈｚにわたる前記内部音波に関する周波数応答の前記予め定められた範囲は±４ｄＢである、請求項１から１２のいずれか一項に記載のパッシブアンビエント式インイヤ型モニタ。
【請求項１４】
前記ＳＬＥＤは、前記外耳道ストークを一体化したコンポーネントである、請求項１から１３のいずれか一項に記載のパッシブアンビエント式インイヤ型モニタ。
【請求項１５】
外耳道を完全にふさぐようにインイヤ型モニタを構成する段階であって、前記インイヤ型モニタは、外耳道ストーク、１つ又は複数のドライバ、フィルタ、及び音響低圧イコライゼーション処理装置（「ＳＬＥＤ」）を含む、段階と、
前記１つ又は複数の音ドライバ、前記外耳道ストーク、及び前記フィルタのそれぞれの間に前記ＳＬＥＤを挿入する段階と、
前記１つ又は複数のドライバが内部音波を生成する段階と、
前記ＳＬＥＤが、前記フィルタを通った周囲音波と、前記１つ又は複数の音ドライバからの内部音波とを受信する段階と、
前記ＳＬＥＤが周囲音波及び内部音波を予め定められた空間容量を通って前記外耳道ストークに伝える段階であって、これにより、前記１つ又は複数の音ドライバによって生成される前記内部音波の前記外耳道ストークにおける周波数応答の程度が、周波数応答の予め定められた範囲内になる、段階とを備える、パッシブな周囲音をインイヤ型モニタに供給するための方法。
【請求項１６】
前記フィルタを通り抜ける内部音波を実質的に低下させる段階をさらに備える、請求項１５に記載のパッシブな周囲音をインイヤ型モニタに供給するための方法。
【請求項１７】
前記フィルタを通って受信された周囲音波を減衰させる段階をさらに備える、請求項１５に記載のパッシブな周囲音をインイヤ型モニタに供給するための方法。
【請求項１８】
前記フィルタは、周囲音波を０〜１０ｄＢ減衰させる、請求項１７に記載のパッシブな周囲音をインイヤ型モニタに供給するための方法。
【請求項１９】
前記フィルタは、周囲音波を１０〜２５ｄＢ減衰させる、請求項１７に記載のパッシブな周囲音をインイヤ型モニタに供給するための方法。
【請求項２０】
周波数応答の前記予め定められた範囲を±４ｄＢに制限する段階をさらに備える、請求項１５から１９のいずれか一項に記載のパッシブな周囲音をインイヤ型モニタに供給するための方法。
【請求項２１】
周波数応答の前記予め定められた範囲を±６ｄＢに制限する段階をさらに備える、請求項１５から２０のいずれか一項に記載のパッシブな周囲音をインイヤ型モニタに供給するための方法。
【請求項２２】
周波数応答の前記予め定められた範囲を制限する段階は、前記予め定められた空間容量に基づいている、請求項１５から２１のいずれか一項に記載のパッシブな周囲音をインイヤ型モニタに供給するための方法。
【請求項２３】
前記外耳道ストークにおける２０〜２００００Ｈｚの内部音波に関する周波数応答の前記予め定められた範囲を±４ｄＢに制限する段階をさらに備える、請求項１５から２２のいずれか一項に記載のパッシブな周囲音をインイヤ型モニタに供給するための方法。
【請求項２４】
前記外耳道ストークにおける２０〜２０００Ｈｚの内部音波に関する周波数応答の前記予め定められた範囲を±４ｄＢに制限する段階をさらに備える、請求項２３に記載のパッシブな周囲音をインイヤ型モニタに供給するための方法。
【請求項２５】
前記外耳道ストークにおける２０〜２００Ｈｚの内部音波に関する周波数応答の前記予め定められた範囲を±４ｄＢに制限する段階をさらに備える、請求項２４に記載のパッシブな周囲音をインイヤ型モニタに供給するための方法。
【発明の詳細な説明】
【技術分野】
【０００１】
［関連出願］
本出願は、２０１５年１２月１５日に出願された米国仮特許出願第６２／２６７，７０５号及び２０１６年１２月１４日に出願された米国特許出願第１５／３７８，２８８号に関連し、また両出願に基づく優先権の利益を主張するものであり、両出願は、あらゆる目的のために、それらの全体の参照により、全体が本明細書に完全に記載されているかのようにここに組み込まれる。
【０００２】
本発明の実施形態は、概して、イヤピース（イヤホン又はインイヤ型モニタ）への周囲音の取り込みに関し、より詳細には、音響用イヤピースの（特に低周波の）アンビエントイコライゼーション処理に関する。
【背景技術】
【０００３】
ミュージシャンや演奏者などは、正しいテンポ及び／又は正しい音程を保つために、自分自身及びバンドの他のメンバ又は演奏者の音を聞く必要がある。そうするには、モニタリングと呼ばれる方法が用いられる。これまで、演奏者が演奏中に関連する他の音を聞くために、フロアウェッジと呼ばれるオープンスピーカが用いられ、演奏者の音声、楽器、及び／又は楽曲を一緒にミキシングしたものが提供されてきた。
【０００４】
数年前に、旧式補聴器型のカスタム成形されたインイヤ型モニタが市場に導入された。それらのカスタムインイヤ型モニタは、フロアウェッジに取って代わった。カスタムインイヤ型モニタによって、演奏者に必要とされる機材の量が実質的に減少し、全体的なステージ音量が低下し、全体的なモニタリングレベルがより低くなることを可能にすることで、演奏者の聴覚障害のリスクを減少させた。
【０００５】
インイヤ型モニタは非常に小さく、通常、外耳道のすぐ外側及び中に装着される。その結果、モニタの音響設計は、小型コンポーネントを利用した非常にコンパクトな設計に適していなければならない。モニタには、特注品（すなわち、カスタム成形）もあれば、汎用の「フリーサイズ型」イヤピースが用いられることもある。汎用イヤピースは、限られた範囲のカスタマイズを提供する着脱可能で置換可能なイヤチップスリーブを含むことがある。
【０００６】
カナルホンやステレオイヤホンと呼ばれることもあるインイヤ型モニタはまた、録音された音楽とライブ音楽の両方を聞くのによく用いられる。
録音された音楽の典型的な適用例には、ＣＤプレーヤ、フラッシュ若しくはハードドライブベースのＭＰ３プレーヤ、ホームステレオ、又は装置のヘッドホンソケットを用いる同様の装置などの音楽プレーヤにモニタを接続することが含まれるであろう。あるいは、モニタは、無線で音楽プレーヤに連結されてもよい。ライブ音楽の典型的な適用例では、ステージ上のミュージシャンが、演奏中に自分の楽曲を聞くためにモニタを装着する。この場合、モニタは、ベルトパック型無線受信機に接続されるか、又は、ミキサ若しくはヘッドホンアンプなどのオーディオ分配装置に直接接続される。この種類のモニタは、ステージ用ラウドスピーカを用いることに関して多くの利点を提供し、これらの利点には、フィードバック前ゲインの向上、空間／ステージ音響効果の最小化／排除、ステージノイズの最小化を通じたより鮮明なミキシング、ミュージシャンの可動性向上が含まれる。
【０００７】
インイヤ型モニタは、隔離というよくある問題に直面する。インイヤ型モニタの隔離とは、インイヤ型モニタがもたらす遮音によって生じる周囲音量の低下である。観客の声を聞くために、演奏者によっては、片方のイヤピースを外すか、又はインイヤ型モニタがもたらす隔離の利点を依然として享受するために、周囲マイクチャネルの音量を上げることもある。多くのアーティストにとって、観客との交流は重要である。しかし、両耳がふさがれている場合、観客と交流するのは非常に困難であることが多い。この問題に対する１つの解決手段は、片方の耳だけにインイヤ型モニタを用いることである。しかしながら、この解決手段が用いられる場合、インイヤ型モニタを利用している片方の耳でミキシングしたもの全てを聞くには、音量が危険なほど大きくなり得、装着者を傷つけることがある。従来技術において知られ、また多くのインイヤ型モニタのメーカーによって知られている別の解決手段が、「アンビエントポート」と呼ばれる選択肢である。残念ながら、アンビエントポートを用いると、低音／低周波応答の実質的な低下をもたらすことになる。
【０００８】
したがって、低周波フィデリティの実質的な低下がない周囲音を供給し得るインイヤ型モニタ、イヤピース、及びイヤホンを提供する必要がある。
【０００９】
本発明のさらなる利点及び新規の特徴が、続く説明の中で部分的に記載されることになり、以下の明細書を検討することで当業者には部分的に明らかになり、又は本発明を実施することで分かるようになり得る。本発明の利点は、特に添付の特許請求の範囲に示される手段、組み合わせ、構成、及び方法によって実現され達成され得る。
【発明の概要】
【００１０】
本発明は、低周波特性をほとんど劣化させずに、インイヤ型モニタの内部音ドライバによって生成される音と周囲音を合成する。本発明の１つの実施形態によれば、パッシブアンビエント式インイヤ型モニタが、外耳道ストークに連結されたハウジングを含む。ハウジングはさらにフィルタと関連しており、これにより、フィルタは外表面及び内表面を含む。周囲環境からの周囲音波が、フィルタを外表面から内表面へ通り抜ける。インイヤ型モニタはさらに、１つ又は複数の音ドライバを含み、これらの音ドライバは内部音波を生成する。内部音波は、１つ又は複数の音ドライバ、外耳道ストーク、及びフィルタのそれぞれに連結される音響低圧イコライゼーション処理装置（ＳＬＥＤ）によって、周囲音波と合成される。ＳＬＥＤは、外耳道ストーク及び／又はハウジングを一体化したコンポーネント、又は別個の装置であってよい。ＳＬＥＤは、内部音波及び周囲音波を外耳道ストークへ伝える予め定められた空間容量を含み、これにより、外耳道ストークにおける内部音波の周波数応答の程度が周波数応答の予め定められた範囲内になる。この予め定められた範囲によって、低周波特性が維持される。
【００１１】
上述されたパッシブアンビエント式インイヤ型モニタの外耳道ストークは、外耳道を完全にふさぐイヤチップを含む。さらに、音響フィルタは、内表面から外表面へ通り抜けるあらゆる内部音波を実質的に低減させる一方向性音響フィルタである。一方向性音響フィルタはまた、外表面から内表面へ通り抜ける周囲音波を減衰させる。音の減衰量は変化し得るが、１つの実施形態において減衰量は０〜１０ｄＢであり、別の実施形態において減衰量は１０〜２５ｄＢである。
【００１２】
上述されたパッシブアンビエント式インイヤ型モニタの周波数応答の予め定められた範囲は、１つの実施形態において２０〜２００００Ｈｚにわたる内部音波の±４ｄＢであり、異なる実施形態では、外耳道ストークにおいて２０〜２０００Ｈｚにわたる内部音波の周波数応答の予め定められた範囲は、±４ｄＢである。
【００１３】
本明細書に示される本発明はまた、パッシブな周囲音をインイヤ型モニタに供給するための方法を含む。そのような方法は、外耳道を完全にふさぐようにインイヤ型モニタを構成することを含む。この事例において、インイヤ型モニタは、外耳道ストーク、１つ又は複数のドライバ、フィルタ、及び音響低圧イコライゼーション処理装置を含む。本方法は、１つ又は複数の音ドライバ、外耳道ストーク、及びフィルタのそれぞれの間にＳＬＥＤを挿入することで継続する。その後、フィルタからの周囲音波と、１つ又は複数のドライバからの内部音波とが、ＳＬＥＤによって受信される。それらの合成音波は、予め定められた空間容量を通ってＳＬＥＤにより外耳道ストークへ伝えられ、これにより、１つ又は複数のドライバによって生成された内部音波の外耳道ストークでの周波数応答の程度が、周波数応答の予め定められた範囲内になる。
【００１４】
上述された方法は、フィルタを通り抜ける内部音波を実質的に低減させ得る。さらに、いくつかの実施形態においてフィルタは、インイヤ型モニタに入る周囲音波を０〜１０ｄＢ及び／又は１０〜２５ｄＢ減衰させる。周囲音は減衰するが、内部音波に関する周波数応答の予め定められた範囲は、±４ｄＢに制限され得る。１つの実施形態において、外耳道ストークにおける２０〜２００００Ｈｚの内部音波に関する周波数応答の予め定められた範囲は±４ｄＢに制限され、一方、別の実施形態では、外耳道ストークにおける２０〜２０００Ｈｚの内部音波に関する周波数応答の予め定められた範囲は±４ｄＢに制限される。また、さらに別の実施形態において、外耳道ストークにおける２０〜２００Ｈｚの内部音波に関する周波数応答の予め定められた範囲は、±４ｄＢに制限される。
【００１５】
本開示及び以下の詳細な説明において説明される特徴及び利点は、包括的なものではない。多くのさらなる特徴及び利点が、図面、明細書、及び特許請求の範囲に照らして、当業者には明らかであろう。さらに、本明細書に用いられる文言は、主に読みやすさ及び教育的目的のために選択されたものであり、発明の主題を詳述したり限定したりするために選択されたものではないかもしれず、特許請求の範囲への参照が、そのような発明の主題を決定するために必要であることに留意されたい。
【図面の簡単な説明】
【００１６】
添付図面と併用される１つ又は複数の実施形態の以下の説明を参照することで、本発明の特徴及び目的、並びにそれらを実現する方法がより明らかになり、本発明そのものが最もよく理解されるであろう。
【００１７】
【図１Ａ】本発明の１つの実施形態による、ユーザの外耳道をふさぐインイヤ型モニタの側面破断図を提供する。
【００１８】
【図１Ｂ】従来技術で知られているような完全閉塞型及び非閉塞型のイヤホン及びインイヤ型モニタの比較を提供する。
【００１９】
【図２】本発明の１つの実施形態によるパッシブアンビエント式インイヤ型モニタの側面破断図を提供する。
【００２０】
【図３】本発明の１つの実施形態によるパッシブアンビエント式インイヤ型モニタの別の実施形態の側面破断図である。
【００２１】
【図４Ａ】本発明の実施形態によるカスタムパッシブアンビエント式インイヤ型モニタの代替の実施形態を示す図である。
【図４Ｂ】本発明の実施形態によるカスタムパッシブアンビエント式インイヤ型モニタの代替の実施形態を示す図である。
【００２２】
【図５Ａ】本発明の１つの実施形態による、単一のドライバを有するパッシブアンビエント式インイヤ型モニタに関する１つの組立工程の斜視図を示す図である。
【図５Ｂ】本発明の１つの実施形態による、単一のドライバを有するパッシブアンビエント式インイヤ型モニタに関する１つの組立工程の斜視図を示す図である。
【図５Ｃ】本発明の１つの実施形態による、単一のドライバを有するパッシブアンビエント式インイヤ型モニタに関する１つの組立工程の斜視図を示す図である。
【図５Ｄ】本発明の１つの実施形態による、単一のドライバを有するパッシブアンビエント式インイヤ型モニタに関する１つの組立工程の斜視図を示す図である。
【図５Ｅ】本発明の１つの実施形態による、単一のドライバを有するパッシブアンビエント式インイヤ型モニタに関する１つの組立工程の斜視図を示す図である。
【図５Ｆ】本発明の１つの実施形態による、単一のドライバを有するパッシブアンビエント式インイヤ型モニタに関する１つの組立工程の斜視図を示す図である。
【図５Ｇ】本発明の１つの実施形態による、単一のドライバを有するパッシブアンビエント式インイヤ型モニタに関する１つの組立工程の斜視図を示す図である。
【図５Ｈ】本発明の１つの実施形態による、単一のドライバを有するパッシブアンビエント式インイヤ型モニタに関する１つの組立工程の斜視図を示す図である。
【００２３】
【図６Ａ】本発明の一実施形態を示す図であり、本発明の１つの実施形態による、マルチドライバを有するパッシブアンビエント式インイヤ型モニタに関する組立工程の斜視図を示す図である。
【図６Ｂ】本発明の一実施形態を示す図であり、本発明の１つの実施形態による、マルチドライバを有するパッシブアンビエント式インイヤ型モニタに関する組立工程の斜視図を示す図である。
【図６Ｃ】本発明の一実施形態を示す図であり、本発明の１つの実施形態による、マルチドライバを有するパッシブアンビエント式インイヤ型モニタに関する組立工程の斜視図を示す図である。
【図６Ｄ】本発明の一実施形態を示す図であり、本発明の１つの実施形態による、マルチドライバを有するパッシブアンビエント式インイヤ型モニタに関する組立工程の斜視図を示す図である。
【図６Ｅ】本発明の一実施形態を示す図であり、本発明の１つの実施形態による、マルチドライバを有するパッシブアンビエント式インイヤ型モニタに関する組立工程の斜視図を示す図である。
【図６Ｆ】本発明の一実施形態を示す図であり、本発明の１つの実施形態による、マルチドライバを有するパッシブアンビエント式インイヤ型モニタに関する組立工程の斜視図を示す図である。
【図６Ｇ】本発明の一実施形態を示す図であり、本発明の１つの実施形態による、マルチドライバを有するパッシブアンビエント式インイヤ型モニタに関する組立工程の斜視図を示す図である。
【図６Ｈ】本発明の一実施形態を示す図であり、本発明の１つの実施形態による、マルチドライバを有するパッシブアンビエント式インイヤ型モニタに関する組立工程の斜視図を示す図である。
【００２４】
【図７Ａ】本発明の組立中のパッシブアンビエント式インイヤ型モニタを描写した側面図を示す。
【図７Ｂ】本発明の組立中のパッシブアンビエント式インイヤ型モニタを描写した側面図を示す。
【図７Ｃ】本発明の組立中のパッシブアンビエント式インイヤ型モニタを描写した側面図を示す。
【図７Ｄ】本発明の組立中のパッシブアンビエント式インイヤ型モニタを描写した側面図を示す。
【図７Ｅ】本発明の組立中のパッシブアンビエント式インイヤ型モニタを描写した側面図を示す。
【図７Ｆ】本発明の組立中のパッシブアンビエント式インイヤ型モニタを描写した側面図を示す。
【図７Ｇ】本発明の組立中のパッシブアンビエント式インイヤ型モニタを描写した側面図を示す。
【図７Ｈ】本発明の組立中のパッシブアンビエント式インイヤ型モニタを描写した側面図を示す。
【図７Ｉ】本発明の組立中のパッシブアンビエント式インイヤ型モニタを描写した側面図を示す。
【００２５】
【図８】図９と共に本発明の１つ又は複数の実施形態によるパッシブアンビエント式インイヤ型モニタの約２０〜２００００Ｈｚの範囲における周波数応答のグラフを示したものであり、一方向性音響フィルタを用いた周囲音チャネルを有する本発明のパッシブアンビエント式インイヤ型モニタと、開放ベント（又は、双方向性音響フィルタ）を有するインイヤ型モニタとの比較を示している。
【００２６】
【図９】一方向性フィルタ及び周囲音チャネルを有する本発明のパッシブアンビエント型トリプルドライバ付きインイヤ型モニタを、一方向性フィルタを有するが専用の周囲音チャネルを欠いたパッシブアンビエント型トリプルドライバ付きインイヤ型モニタと比較したときの対比を示している。
【００２７】
【図１０】パッシブな周囲音をインイヤ型モニタに供給するための、本発明による方法の１つの実施形態を示すフローチャートである。
【００２８】
これらの図は、例示目的のためだけに、本発明の実施形態を図示する。当業者であれば、本明細書に示される構造及び方法に関する代替の実施形態が、本明細書に説明される本発明の原理から逸脱することなく利用されてよいことを、以下の説明から容易に認識するであろう。
【発明を実施するための形態】
【００２９】
本発明の１つ又は複数の実施形態により、ユーザは、ユーザの耳に聞こえるようにイヤピース又はモニタのスピーカを駆動する音源装置（すなわち、ラジオ、オーディオプレーヤ、及び他の同様な装置）から入ってくる信号（すなわち、音楽、音声など）及び近くの周囲音を両方とも、低周波スペクトルにほとんど損失を与えずに聞くことが可能になる。本発明の１つの実施形態によれば、アンビエントフィルタリングベントにより、例えば、ライブステージ音、車の騒音、音声、警報のサイレン及びインジケータといった音が、外界から外耳道へ通り抜けることが可能となる。この周囲音の伝達は、内部ドライバによって生成される音の低周波応答を劣化又は低下させることなく実現される。
【００３０】
低周波出力の損失は、インサートイヤホン又はインイヤ型モニタによくある問題であり、それらの小型スピーカによって動かされる空気の容量は、スピーカが動かす必要がある空気の全質量に依存する。このことは、低周波応答において特に明らかである。本発明の１つの実施形態において、低周波エネルギーの保存は、アンビエントチャネル内の空気に対して一定限度の抵抗性効果を有し、空気（及び音響波形）が音チャネルから出ないようにする膜を含んだフィルタを、インイヤ型モニタに組み込むことで実現される。さらに、内部スピーカ、これは本明細書でドライバとも称されるが、そこからの音とアンビエントベントは、スピーカからの信号源が妨げられずに外耳道に到達することを可能にする音響経路を介して、非常に注意深く制御され、一方、周囲音は、減衰フィルタによってもたらされる縮小による低下した状態でしか耳に到達しない。最後に、アンビエントベント（チャネル）及び音響経路内の一定量又は一定容量の空気は、容量、長さ及び直径の寸法仕様によって非常に厳密に制御されている。それらの組み合わせにより、インイヤ型モニタは、低周波出力の損失を最小限にした状態で、ハイフィデリティサウンドの再生音をドライバ／スピーカから出力し、それと同時に、低周波応答の損失を最小限にした状態で、周囲環境の周囲音を供給することが可能になる。
【００３１】
以降、本発明の実施形態が、添付の図を参照して詳細に説明される。本発明は、以降、ある程度の詳しさで説明され示されるが、本開示が例としてのみ行われていること、並びに部品の組み合わせ及び構成における多くの変更が、本発明の精神及び範囲から逸脱することなく当業者により用いられ得ることを理解されたい。
【００３２】
添付図面に関連した以下の説明は、特許請求の範囲及びそれらの均等物によって定められる本発明の例示的な実施形態を包括的に理解する際に役立つように提供されている。以下の説明には、こうした理解に役立つための様々な具体的な詳細が含まれるが、それらは単なる例示とみなされることになる。したがって、当業者であれば、本発明の範囲及び精神から逸脱することなく、本明細書に説明される実施形態の様々な変更及び修正が行われ得ることを認識するであろう。また、よく知られた機能及び構造の説明は、明瞭且つ簡潔を目的に省略されている。
【００３３】
以下の説明及び特許請求の範囲に用いられる用語及び単語は、文字通りの意味に限定されるものではなく、本発明の明確且つ一貫した理解を可能にするために、単に発明者が用いるものである。したがって、本発明の例示的な実施形態に関する以下の説明は、例示を目的に提供されるものであって、添付の特許請求の範囲及びそれらの均等物によって定められる本発明を限定する目的で提供されるものではないことが、当業者には明らかであるべきである。
【００３４】
「実質的に（ｓｕｂｓｔａｎｔｉａｌｌｙ）」という用語が意味することは、説明される特性、パラメータ、又は値が厳密に実現される必要はないが、例えば、許容誤差、測定誤差、測定精度限界、及び当業者に知られている他の要因を含むずれ又はばらつきが、効果を妨げず、特性が提供することを意図された量で発生し得るということである。
【００３５】
「インイヤ型モニタ」とは、周囲（環境）音の鼓膜への伝播を遮断するように、一部が外耳道の外側部分の全体をふさぐ装置である。本発明の解釈上、インイヤ型モニタは、カナルホン、イヤピース、及びステレオイヤホンと同義である。
【００３６】
「周波数応答」は、刺激に応答するシステム又は装置の出力スペクトルに関する定量的な尺度であり、システムの動特性を表すのに用いられる。周波数応答は、入力と比較した場合の、周波数に応じた出力の大きさ及び位相の程度である。オーディオシステムでは、入力信号を歪みのない一定の振幅で再生することが目的である。そのためには、システムの帯域幅限界まで、均一な（平坦な）大きさの応答が必要になるであろう。本発明の文脈において、周波数応答は、インイヤ型モニタのスピーカ／ドライバによって生成される信号に関する振幅の損失及び／又は歪み源の程度である。例えば、４ｄＢの周波数応答は、最初に生成された信号と比較して４ｄＢの損失を示す。
【００３７】
本発明の解釈上、「閉塞（Ｏｃｃｌｕｄｅｄ）」とは、閉鎖、遮断、又はふさぐことを意味する。インイヤ型モニタに関して、この装置は外耳道を完全にふさぐ又は閉塞するので、その結果、インイヤ型モニタ内で生成された音、又はインイヤ型モニタを通り抜けることが許された音だけが外耳道に伝達され、最終的に鼓膜に伝達される。
【００３８】
全体にわたって、同じ番号は同じ要素を指す。図の中では、特定の線、レイヤ、コンポーネント、要素、又は特徴のサイズは、明瞭にすることを目的に誇張されることがある。
【００３９】
本明細書に用いられる用語は、特定の実施形態を説明するという目的のためだけのものであり、本発明を限定しようとする意図はない。本明細書で用いられる場合、「ａ」、「ａｎ」、及び「ｔｈｅ」を用いる単数形には、複数形も含まれることが意図されている。ただし、別のことが文脈上で明確に示されている場合を除く。したがって、例えば、「コンポーネント表面」への言及には、そのような複数の表面のうち１つ又は複数への言及が含まれる。
【００４０】
本明細書に用いられる場合、「１つの実施形態」又は「一実施形態」へのあらゆる言及は、その実施形態に関連して説明される特定の要素、特徴、構造、又は特性が、少なくとも１つの実施形態に含まれていることを意味する。「１つの実施形態」という文言が本明細書の様々な場所に現れるが、必ずしも全てが同じ実施形態を指しているわけではない。
【００４１】
本明細書に用いられる場合、「ｃｏｍｐｒｉｓｅｓ（備える）」、「ｃｏｍｐｒｉｓｉｎｇ（備える）」、「ｉｎｃｌｕｄｅｓ（含む）」、「ｉｎｃｌｕｄｉｎｇ（含む）」、「ｈａｓ（有する）」、「ｈａｖｉｎｇ（有する）」という用語、又はこれらのあらゆる他の変化形は、非排他的包含に適用されることが意図されている。例えば、列挙された要素を備えるプロセス、方法、物品、又は装置が、これらの要素だけに必ずしも限定されるわけではなく、明確に列挙されてはいない、又はそのようなプロセス、方法、物品、若しくは装置に本来備わっている他の要素を含んでもよい。さらに、「ｏｒ（又は）」は包括的ｏｒを指すものであり、反対のことが明確に述べられていない限り、排他的ｏｒを指すものではない。例えば、Ａ又はＢという条件は、Ａが真であり（又は存在し）Ｂが偽である（又は存在しない）、Ａが偽であり（又は存在せず）Ｂが真である（又は存在する）、並びにＡ及びＢが両方とも真である（又は存在する）のうちいずれか１つによって満たされる。
【００４２】
別途定められない限り、本明細書で用いられる全ての用語（技術的用語及び科学的用語を含む）は、本発明が属する技術分野の当業者が普通に理解する意味と同じ意味を有する。一般に用いられる辞書に定められている用語などは、本明細書及び関連技術分野の文脈においてもそれらの用語の意味と合致する意味を有すると解釈されるべきであり、本明細書に明確に定められていない限り、理想化された又は過度に形式的な意味に解釈されるべきではないことがさらに理解されるであろう。よく知られた機能又は構造は、簡潔さ及び／又は明瞭さを目的に詳細に説明されないことがある。
【００４３】
ある要素が別の要素に「接している」、「取り付けられている」、「接続されている」、「連結されている」、「接触している」、「搭載されている」などと称される場合、一方の要素が他方の要素に直接に接している、取り付けられている、接続されている、連結されている、若しくは接触していてよく、又は間にはさまれた要素が存在してもよいことがまた理解されるであろう。反対に、例えばある要素が別の要素に、「直接に接している」、「直接に取り付けられている」、「直接に接続されている」、「直接に連結されている」、「直接に接触している」と称される場合、間にはさまれた要素は存在しない。別の特徴に「隣接」して配置されている構造又は特徴への言及は、隣接する特徴に重なり合う又はその下にある部分を有し得ることも、当業者によって理解されるであろう。
【００４４】
「下に」「下方に」、「下の方の」、「上方に」、「上の方の」などの空間的に相対的な用語は、ある要素又は特徴の別の要素又は特徴との関係を、図に示されるように説明するのに、説明しやすいように本明細書で用いられることがある。空間的に相対的な用語は、図に示された向きに加えて、使用中又は動作中の装置の異なる向きも含むことを意図していることが理解されるであろう。例えば、図の中の装置が逆さにされた場合、他の要素又は特徴の「下」又は「下方」と説明された要素は、今度は、他の要素又は特徴の「上方」に方向付けられるであろう。したがって、「下」という例示的な用語には、「上」及び「下」という両方の向きが含まれ得る。装置はそれ以外（９０度回転、又は他の向き）に方向付けられてよく、本明細書で用いられる空間的に相対的な記述語は、それに応じて解釈されてよい。同様に、「上向き」、「下向き」、「上下方向」、「水平方向」などの用語は、別途具体的に示されない限り、説明目的だけのために本明細書で用いられている。
【００４５】
図１Ａは、本発明の１つの実施形態による、ユーザの外耳道をふさぐインイヤ型モニタの側面破断図を提供する。図１Ａに示される本発明の実施形態において、ハウジングが、音響低圧イコライゼーション処理装置（以降、「ＳＬＥＤ」）と接続する１つ又は複数のドライバ（スピーカ）を含み、ＳＬＥＤは、それらの内部スピーカによって生成された音（内部音）を耳道１１５の中に配置された外耳道ストークへ伝える。本実施形態において、外耳道ストークは膨張性イヤチップ１３０に収められる。イヤチップは、圧縮されて外耳道に挿入されると、外耳道１１５の側面領域をふさぐように膨張する。そうすることで、インイヤ型モニタは外耳道をふさぎ、耳の外側の周囲音が外耳道に入り鼓膜１２０に到達するのを実質的に防ぐ。比較すると、図１Ｂに示される小型イヤホン１４０は、外耳道１１５の外側に存在する。小型イヤホン１４０によって生成される音は、小型イヤホンの不完全な密閉によって外耳道に「漏れる」周囲音と合成される。これにより、装着者は、内部スピーカの音量の大きさを上げる必要があり、その結果、内部スピーカは外部音源と競合することになり得、インイヤ型モニタが提供し得る利点の１つが無効になる。同様に、小型イヤホンによって生成される一定の音が、同じ不完全な密閉によって漏れて、外耳道１１５又は鼓膜１２０に届かない。低周波音は、そのような漏れの影響を非常に受けやすく、その結果、外部小型イヤホンの低周波特性は概して、外耳道がふさがれているインイヤ型モニタなどの低周波特性を欠くことになる。
【００４６】
周囲音を減衰させる一方向性音響フィルタが、本発明のインイヤ型モニタの外側部分に配置され、ハウジングと連結される。周囲音の予め定められた減少振幅が、一方向性音響フィルタによる周囲音波の減衰の程度によって決定される。音響フィルタは、減衰した周囲音を１つ又は複数のドライバによって生成された内部音と合成する予め定められた空間容量又はチャネルを介して、ＳＬＥＤにも連結される。その後、それらの合成音波は、外耳道ストークへ伝えられ、最終的に鼓膜へ伝達される。
【００４７】
図２は、本発明の１つの実施形態によるパッシブアンビエント式インイヤ型モニタの側面破断図を提供する。本実施形態において、ハウジング２１０は、２つ１組のスピーカドライバ２２０を含む。他の実施形態では、ハウジング２１０に収められるドライバ２２０の数は、複数のドライバのうち１つ又は複数であってよい。図２に示される各ドライバは、ＳＬＥＤ２３０に連結する。この破断図に示されるように、ＳＬＥＤは、各ドライバ２２０によって生成される内部音波を共通チャネル２４５の中で合成する内部ドライバチャネル２３５を含む。示されるように、共通チャネル２４５及び内部ドライバチャネル２３５は、鈍角で交わる。この角度により、外耳道ストーク２４０へ向かう内部音波の反射が促進される。ドライバから出る波などの縦波音波が平坦な表面に衝突した場合、反射面の寸法が音の波長と比較して大きいならば、音はコヒーレントな態様で反射される。可聴音は、非常に広い周波数範囲（２０〜約２００００Ｈｚ）、したがって非常に広い範囲の波長（約２０ｍｍ〜２０ｍ）を有することに留意されたい。その結果、反射の全体的な特性が、表面のテクスチャ及び構造に従って変化する。例えば、多孔性材料はある程度の音エネルギーを吸収し、表面が粗い材料（粗さは波長に対してのものである）は、音エネルギーをコヒーレントに反射するのではなく様々な方向に反射する、すなわち、音エネルギーを散乱する傾向がある。
【００４８】
本発明は、波長に対して滑らかな円錐状の表面を用いて、外耳道ストーク２４０へ向かう内部音波の反射を促進する。異なる実施形態において、チャネルは平坦な反射面を備えた長方形である。共通チャネル２４５は、それぞれの内部ドライバチャネル２３５に対して、予め定められた鈍角で方向付けられている。それらの角度は、イヤピースを外耳道に適合させるために、解剖学的考察に基づいている。当業者であれば、ＳＬＥＤの内部チャンネルの構成及び向きが、ドライバから外耳道ストークへ、そして最終的にはユーザの鼓膜への音の伝播を最適化するために変わってよいことを理解するであろう。
【００４９】
図２のインイヤ型モニタはさらに、インイヤ型モニタハウジング２１０の内部空間２５０に通じるＳＬＥＤ共通チャネルの上部ポートを示す。内表面２１７及び外表面２１６を有する一方向性音響フィルタ２１５がハウジングに組み込まれ、外耳道ストークと実質的に反対側に設けられている。一方向性音響フィルタにより、周囲音波はフィルタを周囲環境からインイヤ型モニタの内部空間容量へ通り抜けることが可能になる。周囲音波は、内部空間容量２５０に入ると、ハウジングの内部表面によって共通チャネル２４５の開口部へ進行方向を変えられる。内部空間容量２５０は、音波の唯一の出口が共通チャネル２４５になる状態で調整されている。一方向性フィルタ２１５は実質的に、内部反射したあらゆる音波がハウジング２１０から出るのを防いでいる。
【００５０】
図３は、本発明の１つの実施形態によるパッシブアンビエント式インイヤ型モニタの別の実施形態の側面破断図である。図２に示される実施形態と同様に、本実施形態は、内部ドライバチャネルを通って内部音波を共通チャネル３４５へ方向づける２つのスピーカドライバ３２０を含む。これらの音波は、内部ドライバチャネルに向かい合う表面の形状及び状態に基づいて、外耳道ストーク３４０に向かって反射される。ここでも、ハウジングは、一方向性音響フィルタ３１５を組み込み、これにより、減衰した周囲音波がフィルタを通り抜け、インイヤ型モニタの内側部分に入ることが可能になる。図２に示される実施形態と違って、本実施形態は、一方向性音響フィルタ３１５を共通チャネル３４５の上部に連結する周囲音チャネル３６０を含む。内部ドライバチャネルと同様に、周囲音チャネル３６０は、外耳道ストーク３４０へ向かう周囲音波の反射を促進するように、ある角度で共通チャネルと合流する。
【００５１】
周囲音チャネル３６０の空間容量は、所望の周波数応答の予め定められた範囲に基づいている。反射された音波が通って移動する容量及び圧力を制御することで、内部音波の周波数応答が最適化され得る。
【００５２】
周囲音フィルタの一方向性により、低周波音波がインイヤ型モニタから出ることが妨げられる。双方向性のアンビエントベント又はポートは周囲音をインイヤ型モニタに取り入れることができるが、そのような取り込みとのトレードオフにより、特に低周波で周波数応答が劣化する。本発明は、インイヤ型モニタ内部の音ドライバの周波数応答を犠牲にすることなく、周囲環境を反映したユーザ音を提供することで、この欠点を解決する。
【００５３】
図２及び図３に示される実施形態は、汎用のフリーサイズ型のインイヤ型モニタを表している。カスタムインイヤ型モニタが、個人の耳の外部構造を実質的に再現するように構成される。したがって、カスタムインイヤ型モニタでは、外耳道を外部音／周囲音から隔離するための装置能力が増す。カスタムインイヤ型モニタを用いる個人は、周囲の状況に関する音を日常的に求めている。特定の歌又は歌詞に対する観客の反応は、演奏者がより良い演奏を提供するために、どのように観客と交流するかに影響を与え得る。
【００５４】
図４Ａ及び図４Ｂは、本発明の１つの実施形態によるカスタムパッシブアンビエント式インイヤ型モニタの代替の実施形態を示す。図４Ａを参照すると、カスタムインイヤ型モニタが、適応シェル４２０と接合されるフェースプレート４１０を含む。適応シェルは、耳の外側部分及び外耳道の外側部分に関する解剖学的構造を反映する。インイヤ型モニタの内部には、内部音波を生成するための１つ又は複数のドライバ４６０が存在する。本実施形態では、内部音チャネル４４０が、これらのドライバに連結され、外耳道内に存在する適応シェルの部分４７０に方向づけられる。
【００５５】
図４Ａのインイヤ型モニタはさらに、フェースプレート４１０の外面に取り付けられた一方向性音響フィルタ４３０を含む。フィルタ４３０は、減衰した周囲音がフィルタの外表面からフィルタの内表面へ通り抜け、カスタムインイヤ型モニタの内部に入ることを可能にするように構成される。周囲音の減衰量は、ユーザの必要性に基づいて変わる。１つの実施形態において、フィルタは周囲音を０〜１０ｄＢ減衰させることができ、別の実施形態では、フィルタは周囲音を１０〜２５ｄＢ、又は２５〜５０ｄＢも減衰させることができる。当業者であれば、本発明のパッシブアンビエント式インイヤ型モニタと関連するフィルタ４３０が、ユーザの好みに基づいて修正されてよいことを理解するであろう。フィルタは、異なる暴露レベルに対して一定の減衰レベルの範囲で利用可能であり、妥当なレベルの雑音が減少することを保証する。さらにフィルタは、線形減衰又は非線形減衰を伴う異なる減衰レベルで設計される。
【００５６】
図４Ａに示される実施形態において、フィルタの内表面は、アンビエントベントチューブ４５０に連結される。アンビエントベントチューブは、カスタムインイヤ型モニタの適応シェル４２０を通り抜け、減衰した周囲音を外耳道内に存在するシェルの部分４７０に伝達する。本実施形態において、アンビエントベントチューブ４５０及び内部音チャネル４４０の末端部は、外耳道内のカスタムインイヤ型モニタの端部４７０において共存する。
【００５７】
図４Ｂは、カスタムパッシブアンビエント式インイヤ型モニタの別の実施形態を表す。図４Ａ及び図４Ｂの両方に示される実施形態は、ユーザの耳の解剖学的外部構造に適合するカスタム適応シェル４２０を提供し、インイヤ型モニタ内に含まれる１つ又は複数のドライバ４６０によって生成される音波及び周囲環境の周囲音を外耳道に与える。
【００５８】
前の実施形態と同様に、一方向性音響フィルタ４３０により、周囲音はフィルタを外表面から内表面へ通り抜けることが可能になる。フィルタを通過すると、周囲音は、アンビエントベントチューブ４５０を介して外耳道に方向づけられる。同様に、１つ又は複数のドライバ４６０のそれぞれによって生成される音波が、１つ又は複数の内部音チャネル４４０によって外耳道に方向づけられる。当業者であれば、音チャネルが柔軟なチューブを用いて実装され得ることを理解するであろう。また、本発明は、複数の実施形態を参照して詳細に示され説明されるが、形態及び詳細の様々な他の変更が、本発明の精神及び範囲から逸脱することなく行われ得ることを、当業者は理解するであろう。
【００５９】
図４Ａに示される実施形態と違って、図４Ｂに示される実施形態は、周囲音波を内部音波と合成するように働くＳＬＥＤ４８０を含む。合成音波はその後、外耳道内に位置するインイヤ型モニタの末端部４７０に伝達される。
【００６０】
本発明のインイヤ型モニタは、ハイフィデリティドライバによって生成される音波を近くの環境からの周囲音と合成する。一方向性音響フィルタを介した周囲音の取り込みにより、インイヤ型モニタは、聴音周波数スペクトル全体にわたり、最小限の周波数応答の劣化をもたらすことが可能になる。具体的には、低周波が、周囲音源の取り込みにもかかわらず維持される。
【００６１】
本発明の新規性を示すために、音楽演奏環境におけるインイヤ型モニタの使用を検討する。演奏者は、インイヤ型モニタによって自分らが観客から隔離されているという不満をもらすことが多い。演奏中に、ミュージシャン及び演奏者は同様に、観客から受ける反応で成長する。しかし、ステージに配置される旧式のウェッジモニタにいくつかの利点を与えるインイヤ型モニタは、そのような反応を生み出すことができない。各インイヤ型モニタは、グループの各メンバに独自の音のミキシングを提供して、個人個人の体験を高めるように、個々に調整され得る。例えば、観客がバランスの取れたベースとリードギターの両方の組み合わせを聞きたいとしても、ベース奏者が、リードギターより強調された曲を聞きたいと望むかもしれない。従来のインイヤ型モニタは、環境からの隔離という代償を払って、そのような利点を提供している。
【００６２】
従来技術のよく知られた解決手段は、インイヤ型モニタ内のドライバを介したパイプで送られる音が周囲音と合成され得るように、モニタの中にアンビエントベントを含めることである。しかし、そうすることで、内部で生成された音の周波数応答が劣化する。これは、特に低周波領域に関して当てはまる。
【００６３】
本発明によって、音楽グループの各演奏者は、インイヤ型モニタによって生成される音の品質を犠牲にすることなく、周波数スペクトルの全体にわたって周囲音を体験することが可能になる。アンビエントベントは、一方向性音響フィルタを用いて制約される。フィルタ及びＳＬＥＤは、減衰した音がインイヤ型モニタに入ることを可能にするが、インイヤ型モニタから出るいかなる音も実質的に減少させる。例えば、フィルタを外表面から内表面へ通り抜ける音の減衰量は１０ｄＢであってよいが、フィルタを内表面から外表面へ通り抜ける音の減衰量はかなり大きい。その結果は、従来のインイヤ型モニタと同等の実質的に閉ざされた環境である。聴音スペクトルの全体にわたる周波数応答が、周囲音を含めてもまだ維持される。
【００６４】
音楽演奏者の例に戻ると、各メンバは、モニタからの全スペクトルの音を受け続けていても、観客から反応を即座に受けることができる。本発明を適用するより良い例示が、ミュージシャンが聖歌隊だけでなく会衆もサポートすることを任されている礼拝かもしれない。聖歌隊及び残りのミュージシャンによって生み出される音は、マイク又は他の入力装置を介してミュージシャンにそれぞれ供給されるが、会衆からは、いかなる形態の音の入力もない。本発明のアンビエントフィルタ及びＳＬＥＤを用いると、会衆はこの体験の中で不可欠な要素になる。
【００６５】
本発明は、ミュージシャン及び演奏者が同様に周囲音を受け取ることを可能にする一方で、完全に閉塞されたインイヤ型モニタ内のドライバによって生成される音楽のフィデリティを維持する。図５Ａ〜図５Ｈは、本発明の１つの実施形態による、単一のドライバを有するパッシブアンビエント式インイヤ型モニタに関する組立工程の斜視図を示す。図５Ａ〜図５Ｈは、組立の８つの別々の段階を示す。しかしながら、当業者であれば、それらの段階が長い生産及び組立工程の単なる一面であることを理解するであろう。さらに、本明細書で説明される本発明と合致する他の組立工程及び設計が企図されており、それらは特許請求された発明の範囲内にある。
【００６６】
図５Ａは、インイヤ型モニタの下半分のハウジング５１０を分解して示しており、ここには、右下方に伸びる外耳道ストーク５４０と、２つの電子接触点を有する単一のドライバ５２０とが含まれる。単一のドライバ５２０の音ポート（不図示）が、下部ハウジング５１０に適合した内部音チャネル５３０に結合される。図５Ｂは、ハウジングの下半分に配置されたドライバを示す。下部ハウジングユニットの内部チャンネルには、ＳＬＥＤに含まれる周囲音チャネルを受けるように構成された差し込みポート５４５が存在することに留意されたい。
【００６７】
図５Ｃは、本発明の１つの実施形態によるＳＬＥＤ５５０を示す。ＳＬＥＤ５５０は、周囲音チャネル５５７の細長い半チャネル部分を有する円形の開口５５３を示す。上部ハウジング５５５は、ＳＬＥＤ５５０と結合して、フィルタの内表面と、内部音チャネル５３５との連結部との間に、周囲音チャネルを形成する。図５Ｄは、ドライバと結合されたＳＬＥＤと、下部ハウジングとを示す。
【００６８】
図５Ｅに示される上部ハウジング５５５は、ＳＬＥＤ５５０の上に配置され、下部ハウジング５１０と結合する。図示されていないが、上部ハウジング５５５の内部は、ＳＬＥＤ５５０の上部と結合して、周囲音チャネル５５７の形成を完了する。上部ハウジング５５５の丸穴５６０は、図５Ｆに示される一方向性フィルタ５７０の組立品を受け入れるように構成される。予め定められた程度の減衰量を備えた一方向性音響フィルタ５７０が、シール５７５にはめ込まれ、上部ハウジングの円形の受け口（穴）５６０に配置される。図５Ｇに見られるように、ＳＬＥＤ５５０の円形部分５５３は、フィルタ組立品５８０の下面を受けるために、上部ハウジング５５５から突出している。ハウジング５５５とフィルタ組立品５８０との結合により、図５Ｈに示されるパッシブアンビエント式インイヤ型モニタ５９０の１つの実施形態が形成される。
【００６９】
図６Ａ〜図６Ｈは、本発明の一実施形態を示し、ここではマルチドライバを有するパッシブアンビエント式インイヤ型モニタの組立工程に関する別の図を示す。図５Ａ〜図５Ｈのように、図６Ａ〜図６Ｈも組立の８つの別々の段階を示し、ここでも、当業者であれば、それらの段階を長い生産及び組立工程の単なる一面として理解するであろう。さらに、本明細書で説明される本発明と合致する他の組立工程及び設計が企図されており、それらは特許請求された発明の範囲内にある。
【００７０】
図６Ａは、「兼用ブーツ」６５０（ＳＬＥＤの別の実施形態）を分解して示しており、ここには、図５Ａ〜図５Ｈの場合とは異なる周波数応答に合うように調整された、著しく長い周囲音チャネル６５２（下半分部分が示されている）が示されている。本実施形態の複数ドライバ６２０（「マルチドライバ」）構成の結果として、ＳＬＥＤ６５０は、この説明において合計３つの音入力経路、すなわち、周囲音チャネル６５２からの経路が１つと、マルチドライバ６２０に結合するポートからの経路が２つとを有する。マルチドライバ入力ポートのうち一方の部分が図に示されており、マルチドライバパッケージのより大きい部分に関する他方のポートの図は、ＳＬＥＤの下側の周囲音チャネルによって遮られている。すなわち、図５Ａ〜図５Ｈと違って、マルチドライバのそれらの音ポート（不図示）は、ＳＬＥＤ６５０の２つの入力ポートに直接結合する。もちろん、それらのポートの数及びサイズは、所望の周波数応答に従って変わり得る。図６Ｃは、下半分のハウジング６１０に配置されるドライバ６５０を示す。下部ハウジングユニットの内部チャンネルに、ＳＬＥＤに含まれる周囲音チャネルを受けるように構成された差し込みポートが存在することに留意されたい。
【００７１】
ＳＬＥＤ６５０は、ここでも、細長い半チャネル６５２を有する円形の開口６５３を示す。上部ハウジング６６０は、ＳＬＥＤ６５０と結合し、フィルタの内表面と、内部音チャネルとの連結部との間に周囲音チャネルを形成する。図６Ｄは、ドライバ６２０と結合されたＳＬＥＤ６５０と、下部ハウジング６１０とを示す。
【００７２】
図６Ｅに示される上部ハウジング６６０は、ＳＬＥＤ６５０の上に配置され、下部ハウジング６１０と結合する。図示されていないが、上部ハウジングの内部は、ＳＬＥＤの上部と結合して周囲音チャネルの形成を完了する。上部ハウジング６６０の丸穴６６５は、図６Ｆに示される一方向性フィルタ組立品６８０を受け入れるように構成される。一方向性音響フィルタ６７０は、シール６７５にはめ込まれ、上部ハウジングの円形の受け口（穴）６６５を通って配置される。図６Ｇに見られるように、ＳＬＥＤ６５０の円形部分６５３は、フィルタ組立品６８０の下面を受けるために、上部ハウジング６６０から突出している。ハウジングとフィルタ組立品との結合により、図６Ｈに示されるパッシブアンビエント式インイヤ型モニタ６９０の１つの実施形態が形成される。
【００７３】
本発明のパッシブアンビエント式インイヤ型モニタに関する別の例示の実施形態が、図７Ａ〜図７Ｉに示されている。図５Ａ〜図５Ｈ及び図６Ａ〜図６Ｈは、パッシブアンビエント式インイヤ型モニタの様々なコンポーネントを斜視図で示すが、図７Ａ〜図７Ｉは、側面から見た図を示す。図７Ａは、音響ドライバ７２０である。本実施形態は、単一のドライバと周囲音チャネルとの結合を説明するが、当業者であれば、１つ又は複数のドライバが、本発明の範囲から逸脱することなく、本明細書に示された設計に用いられ得ることを認識するであろう。実際に、本発明は、ユーザの要求に応じて、フィルタ及びドライバの異なる組み合わせを含むパッシブアンビエント式インイヤ型モニタに関する複数の実装例を企図している。
【００７４】
図７Ａ〜図７Ｉに戻ると、図７Ａのドライバ７２０は、ＳＬＥＤ７５０の１つの実施形態と接合されて、図７Ｂのドライバ／ＳＬＥＤ組立品７２５を形成する。この場合、ＳＬＥＤ７５０は、外耳道ストークに向かう音の反射を促進するために、ドライバポートに対して方向付けられた内部音チャネル７２２を含む。上部ハウジング７６０はその後、ドライバ／ＳＬＥＤ組立品７２５と接合されて、周囲音チャネル７５５を形成する。
【００７５】
図７Ｅは、ＳＬＥＤ７５０、ドライバ７２０、及び上部ハウジング７６０を合体した組立品の側面図を示す。この側面図は、一方向性フィルタ７８０の受け口と、周囲音チャネル７５５と内部音チャネル７２２との連結部とを示す。本実施形態は、ＳＬＥＤではなく上部ハウジングにフィルタ受け口を作ることに留意されたい。
【００７６】
図７Ｆ及び図７Ｇは、一方向性フィルタを上部ハウジングに連結する様子を示す。合体した組立品７３５はその後、ＳＬＥＤの内部音チャネルを外耳道ストークに位置合わせするように、下部ハウジング７１０に配置される。図７Ｉは、本発明の１つの実施形態による、組立後のパッシブアンビエント式インイヤ型モニタ７９０の側面図を示す。パッシブな周囲音チャネルは、内部音チャネルと結合し、ドライバのスピーカによって生成される音波及び環境の周囲音を外耳道ストーク７８５に伝達する。
【００７７】
パッシブアンビエント式インイヤ型モニタの特性を示すために、以下の周波数試験のグラフを検討する。図８及び図９は、約２０〜２００００Ｈｚの範囲で、本発明の１つ又は複数の実施形態によるパッシブアンビエント式インイヤ型モニタの周波数応答のグラフを示す。各グラフでは、ドライバによって生成され、外耳道ストークの端部で測定された音の周波数応答が、関連したあらゆる歪みと共に示されている。これらのグラフは、一方向性音響フィルタ及び空間容量の様々な組み合わせを用いて、本発明の比較を示す。
【００７８】
グラフは、周波数応答の広がり、この事例では２０〜２００００Ｈｚの結果を用いて表すのに、本装置／本設計／本発明を利用した結果を示す。周波数応答及び歪みの両方の結果が、それぞれ実線及び点線でグラフに表されており、完全閉塞式イヤピース設計の特性限界及びパラメータが破線の「限界」線で表されている。破線は完全閉塞式インイヤ型モニタの周波数応答限界であり、ｄＢ単位の出力がグラフの左側に数字で表されている。歪みの限界線は、明瞭さを目的に省略されている。しかしながら、歪みの割合がグラフの右側で読み取れる。太い点線は、イヤピースを通って外部表面から外耳道に伝わるベントを有するイヤピースの試験結果であり、実線は、本発明の原理を用いたイヤピースを表す。太い実線は、試験用のインイヤ型モニタの周波数応答である。図示されるように、太い点線で示されるモニタはそれぞれ、７００Ｈｚと２０Ｈｚの間の低周波応答出力が著しく減少（劣化）しており、本発明に従って作られたイヤピースを表す太い実線は、完全閉塞式インイヤ型モニタ用に設定された限界線のかなり近くで低周波応答を維持している。対応する（太くない）実線は歪みを表しており、本設計を用いるモニタでは、完全閉塞式インイヤ型モニタに対して設定された限界線をはるかに下回っているのに対して、ベントを有するイヤピースの（太くない）点線は、低周波応答の信号対雑音比が著しく低下した状態を表す歪みを示している。
【００７９】
図８は、パッシブアンビエント式インイヤ型モニタに関して、周囲音チャネルを有する一方向性音響フィルタを用いる場合と、開放ベント（又は、双方向性音響フィルタ）を用いる場合との比較を示す。このグラフは、開放ベントを有するインイヤ型モニタを、本発明による一方向性フィルタを有するインイヤ型モニタと比較した周波数応答が、約７００〜２００００Ｈｚの範囲で実質的に同じであることを示す。７００Ｈｚより低い周波数では、両者の結果は分かれ始める。本発明によるパッシブアンビエント式インイヤ型モニタ８３０の周波数応答は、２０〜７００Ｈｚの範囲でも実質的に平坦なままであるが、開放ベントを有するインイヤ型モニタの周波数応答８２０は、激減している。このグラフは、低周波スペクトルに対する、インイヤ型モニタにおける開放アンビエントベントのマイナス効果を示している。同様に、開放アンビエントベントに関する信号歪み８４０は、７００Ｈｚ未満で許容できないレベルに増加している。一方、本発明のパッシブアンビエント式インイヤ型モニタ８５０は、許容レベルにとどまっている。
【００８０】
図９は、一方向性フィルタ及び周囲音チャネルを有するパッシブアンビエント型トリプルドライバ付きインイヤ型モニタを、一方向性フィルタを有するが専用の周囲音チャネルを欠いたパッシブアンビエント型トリプルドライバ付きインイヤ型モニタと比較したときの対比を示す。図２及び図３は、類似した設計のパッシブアンビエント式インイヤ型モニタを表す。前の例と同様に、両方の設計は、７００Ｈｚを超える周波数で許容できる周波数応答を示す。しかしながら、周波数が低下すると、各設計の周波数応答は分かれ始める。周囲音チャネル９３０を利用するパッシブアンビエント式インイヤ型モニタは、平坦な周波数応答を示すが、周囲音チャネルを欠いた設計９２０では、周波数の低下に比例して周波数応答が悪化する。
【００８１】
内部音波が通って移動する空間容量は、周波数応答の決定において重要な要素である。音は、圧力波による分子の振動であることを想起されたい。分子を「押し動かす」たびに、いくらかのエネルギーが熱となって失われることになる。このため、音は、音が通って伝播する媒体の熱となって失われる。音波の減衰は、ほとんどの材料で周波数に依存する。低周波は、高周波ほど十分に吸収されない。このことは、低周波がより遠くに移動することを意味する。反射も周波数に依存する。高周波はよく反射するが、低周波は障害物を通り抜けることが可能である。
【００８２】
低周波音の圧力波は、高周波の圧力波より波長が長い。また、低周波音の圧力波はより遠くに進み得るが、より多くの分子を押し動かすことでそうなる。開放された環境では、これらの分子を「押し動かす」ことが、制約された環境の場合よりも困難になる。誇張した例を検討してみる。同じ容量の空気が異なるサイズの２つの容器に追加された場合、小さい方の容器では、より大きな圧力の増加を感じるであろう。ドライバは、音波を作り出すことで、圧力パルスを作り出す。アンビエントベントが外部環境に開放されている場合、空気の容量が非常に大きいので、低周波の圧力変化は分からない。しかし、その空間が制約された場合、圧力は維持される。本発明の重要な一面が、音チャネルの内部空間容量の管理が許容できる周波数応答を実現するのに不可欠であるという認識である。内部ドライバの観点から、本発明のパッシブアンビエント式インイヤ型モニタは、閉じたシステムである。外耳道は完全にふさがれる。鼓膜が一方の障壁を表し、一方向性フィルタが他方の障壁を表す。閉ざされた環境では、小さいドライバの低周波音波が平坦な周波数応答プロファイルを生成する。しかし図８に示されるように、システム（インイヤ型モニタ）が環境に対して開放された状態に保たれると、適切な周波数応答を維持するという低周波ドライバの能力は低下する。ドライバのサイズは、装置全体が耳の中に存在するので制約される。当業者であれば、耳を覆うヘッドホンが、ドライバ（スピーカ）のサイズを増加させることでこの問題に対処し、この低周波の低下に対応することを認識するであろう。
【００８３】
一方向性フィルタを用いてインイヤ型モニタをふさぐことでも、開放ベントと比較して、低周波応答が改善される。このことは、図８と図９との差異を観察することで容易に明らかとなる。しかし、適切な低周波応答は、音チャネルの空間容量を正確に管理することでのみ実現され得る。これには、内部音チャネルと結合される周囲音チャネルの容量が含まれる。ドライバの組み合わせごとに、周波数スペクトル全体に対して平坦な周波数応答を提供する予め定められた空間容量が特定される。フィルタは一方向なので、設計を変更することなく、周囲音について異なる減衰レベルが用いられ得る。しかしながら、ドライバの能力を制約された空間容量と相関させるために、ドライバ及び音チャネルの異なる構成には、異なる周囲音チャネル構成が必要となる。
【００８４】
周囲のパッシブな音をインイヤ型モニタに供給するのに用いられ得る方法の例を示すフローチャートが、説明に含まれている。以下の説明において、フローチャートの各ブロック、及びフローチャートのブロックの組み合わせが、特定の機能を実行するための手段の組み合わせ、及び特定の機能を実行するための段階の組み合わせをサポートすることが理解されよう。フローチャート例の各ブロック、及びフローチャート例のブロックの組み合わせが、特定の機能若しくは段階を実行する専用ハードウェアベースのシステム、又は専用ハードウェアの組み合わせによって実装され得ることも理解されるであろう。
【００８５】
図１０は、パッシブな周囲音をインイヤ型モニタに供給するための、本発明による方法の１つの実施形態を示すフローチャートである。このプロセスは１００５から始まり、外耳道を完全にふさぐようにインイヤ型モニタを構成する段階１０１０を伴う。上述されたように、また本発明の１つ又は複数の実施形態に従って、インイヤ型モニタは、外耳道ストーク、１つ又は複数のドライバ、フィルタ、及び音響低圧イコライゼーション処理装置（「ＳＬＥＤ」）を含む。
【００８６】
ＳＬＥＤは、閉じたシステムを確立するために、１つ又は複数の音ドライバ、外耳道ストーク（及び最終的には鼓膜）、及びフィルタのそれぞれの間に挿入される（１０３０）。１つ又は複数のドライバのそれぞれは、ＳＬＥＤのポートに伝達される内部音波を生成する（１０５０）。ＳＬＥＤはまた、一方向性音響フィルタを通って減衰した周囲音波を受信する（１０７０）。
【００８７】
次にＳＬＥＤは、周囲音波及び内部音波を予め定められた空間容量を通って外耳道ストークへ（１０８０）、そして最終的には鼓膜へ（１０９５）伝え、これにより、１つ又は複数のドライバにより生成された内部音波の外耳道ストークでの周波数応答の程度が、周波数応答の予め定められた範囲内になる。
【００８８】
周波数応答の範囲は、ドライバ及び予め定められた空間容量の組み合わせに基づいている。１つの実施形態において、外耳道ストークにおける２０〜２００００Ｈｚの内部音波に関する周波数応答の予め定められた範囲は±４ｄＢであり、一方、別の実施形態では、外耳道ストークにおける２０〜２００００Ｈｚの内部音波に関する周波数応答の予め定められた範囲は±６ｄＢである。他の実施形態では、２０〜２００Ｈｚなどの低域周波数範囲、又はパッシブアンビエント式インイヤ型モニタの実装に必要とされる他の範囲に注目してもよい。
【００８９】
同様に、一方向性フィルタによる周囲音の減衰は、実装に基づいて設定されてよく、線形ベース又は非線形ベースの周波数減衰を経験し得る。本明細書に示される例は、娯楽又は演奏環境で利用されるようなパッシブアンビエント式インイヤ型モニタの実装に注目しているが、本発明は、産業環境にも同様に適用可能であってよい。地下鉄の乗客でも、イヤホンのスピーカで聞いている音の品質を犠牲にすることなく、振幅を低下させて周囲音を取り込むことが有益であると気づき得る。ハイフィデリティの音楽を地下鉄で聞きたいが、次の停車駅に関するアナウンスも知りたいという個人を検討してみる。
【００９０】
本発明の実施形態により、ユーザは、周波数応答の劣化がほとんどないか全くない状態で、且つ周囲音を取り込んだ状態で、ハイフィデリティサウンドを体験することが可能になる。周囲音の取り込みは、多くの場面で、特に再生された音の品質を犠牲にすることなく周囲音の取り込みが行われた場合に、ユーザの体験を高める。
【００９１】
本発明のパッシブアンビエント式インイヤ型モニタの１つの実施形態が、以下のものを備える。
・ハウジング。
・外耳道ストーク。
・フィルタ。フィルタは外表面及び内表面を含み、周囲音波がフィルタを外表面から内表面へ通り抜ける。
・１つ又は複数の音ドライバ。１つ又は複数の音ドライバは、内部音波を生成する。
・音響低圧イコライゼーション処理装置（「ＳＬＥＤ」）。ＳＬＥＤは１つ又は複数の音ドライバのそれぞれ、外耳道ストーク、及びフィルタに連結されており、ＳＬＥＤは、内部音波及び周囲音波を外耳道ストークに伝える予め定められた空間容量を含み、これにより、内部音波の外耳道ストークでの周波数応答の程度が、周波数応答の予め定められた範囲内になる。
【００９２】
パッシブアンビエント式インイヤ型モニタは、以下のことを含めた他の特徴を含む。
・外耳道ストークはイヤチップを含み、イヤチップは外耳道を完全にふさぐ。
・フィルタは一方向性音響フィルタである。
・一方向性音響フィルタは、内表面から外表面へ通り抜ける内部音波を実質的に低減させる。
・一方向性音響フィルタは、外表面から内表面へ通り抜ける周囲音波を減衰させる。
・周囲音波は、予め定められた減少振幅で一方向性音響フィルタを通り抜ける。
・一方向性音響フィルタは、周囲音を０〜１０ｄＢ減衰させる。
・一方向性音響フィルタは、周囲音を１０〜２５ｄＢ減衰させる。
・周波数応答の予め定められた範囲は、±４ｄＢである。
・予め定められた空間容量は、周囲音波の減衰の程度に基づいている。
・外耳道ストークにおける２０〜２００００Ｈｚにわたる内部音波に関する周波数応答の予め定められた範囲は、±４ｄＢである。
・外耳道ストークにおける２０〜２００００Ｈｚにわたる内部音波に関する周波数応答の予め定められた範囲は、±６ｄＢである。
・外耳道ストークにおける２０〜２０００Ｈｚにわたる内部音波に関する周波数応答の予め定められた範囲は、±４ｄＢである。
・ＳＬＥＤは、外耳道ストークを一体化したコンポーネントである。
【００９３】
本発明によるインイヤ型モニタにパッシブな周囲音を供給するための１つの方法が、以下の段階を含む。
・外耳道を完全にふさぐようにインイヤ型モニタを構成する段階であって、インイヤ型モニタは、外耳道ストーク、１つ又は複数のドライバ、フィルタ、及び音響低圧イコライゼーション処理装置（「ＳＬＥＤ」）を含む、段階。
・１つ又は複数の音ドライバ、外耳道ストーク、及びフィルタのそれぞれの間にＳＬＥＤを挿入する段階。
・１つ又は複数のドライバが、内部音波を生成する段階。
・ＳＬＥＤが、フィルタを通る周囲音波と、１つ又は複数の音ドライバからの内部音波とを受信する段階。
・ＳＬＥＤが、周囲音波及び内部音波を予め定められた空間容量を通って外耳道ストークに伝える段階であって、これにより、１つ又は複数の音ドライバによって生成された内部音波の外耳道ストークにおける周波数応答の程度が、周波数応答の予め定められた範囲内になる、段階。
【００９４】
インイヤ型モニタにパッシブな周囲音を供給するための方法はさらに、以下の段階を含んでよい。
・フィルタを通り抜ける内部音波を実質的に低下させる段階。
・フィルタを通って受信された周囲音波を減衰させる段階。
・フィルタは、周囲音波を０〜１０ｄＢ減衰させる。
・フィルタは、周囲音波を１０〜２５ｄＢ減衰させる。
・周波数応答の予め定められた範囲を±４ｄＢに制限する段階。
・周波数応答の予め定められた範囲を±６ｄＢに制限する段階。
・周波数応答の予め定められた範囲を限定する段階は、予め定められた空間容量に基づいている。
・外耳道ストークにおける２０〜２００００Ｈｚの内部音波に関する周波数応答の予め定められた範囲を、±４ｄＢに制限する段階。
・外耳道ストークにおける２０〜２０００Ｈｚの内部音波に関する周波数応答の予め定められた範囲を、±４ｄＢに制限する段階。
・外耳道ストークにおける２０〜２００Ｈｚの内部音波に関する周波数応答の予め定められた範囲を、±４ｄＢに制限する段階。
【００９５】
当業者であれば、本開示を読むと、本明細書の開示された原理によって、パッシブな周囲音をインイヤ型モニタに供給するためのシステム及びプロセスに関する、さらに追加の代替の構造及び機能設計を理解するであろう。したがって、特定の実施形態及び適用例が示され説明されたが、開示された実施形態は、本明細書に開示されたまさにその構造及びコンポーネントに限定されないことを理解されたい。当業者には明らかとなる様々な修正、変更、及び変形が、本明細書に開示された方法及び装置に関する構成、動作、及び細部において、本発明の精神及び範囲から逸脱することなく行われてよい。
【００９６】
特に、前述の開示に関する教示は、他の修正を当業者に示唆するであろうことを認識されたい。そのような修正には、本質的には既に知られており、本明細書に既に説明された特徴の代わりに、又はそれらの特徴に加えて用いられ得る、他の特徴が含まれてよい。複数のクレームが、複数の特徴に関する特定の組み合わせに対して、本出願に明確に述べられているが、本明細書における開示の範囲には、明示的に又は黙示的に開示された任意の新規な特徴若しくは複数の特徴に関する任意の新規な組み合わせ、又は、それらの一般化若しくは修正も含まれ、そのような特徴が、現在、いずれかのクレームに請求されているのと同じ発明に関するかどうか、また本発明が直面したのと同じ技術的問題のいずれか又は全てを軽減するかどうかが当業者には明らかであろうことを理解されたい。出願者は、そのような特徴及び／又はそのような特徴の組み合わせに対して、本出願又はそこから派生する任意のさらなる出願の出願手続き中に、新たなクレームを考案する権利をここに留保する。
【図１Ａ】
2019503122.tif 000003
【図１Ｂ】
2019503122.tif 000004
【図２】
2019503122.tif 000005
【図３】
2019503122.tif 000006
【図４Ａ】
2019503122.tif 000007
【図４Ｂ】
2019503122.tif 000008
【図５Ａ】
2019503122.tif 000009
【図５Ｂ】
2019503122.tif 000010
【図５Ｃ】
2019503122.tif 000011
【図５Ｄ】
2019503122.tif 000012
【図５Ｅ】
2019503122.tif 000013
【図５Ｆ】
2019503122.tif 000014
【図５Ｇ】
2019503122.tif 000015
【図５Ｈ】
2019503122.tif 000016
【図６Ａ】
2019503122.tif 000017
【図６Ｂ】
2019503122.tif 000018
【図６Ｃ】
2019503122.tif 000019
【図６Ｄ】
2019503122.tif 000020
【図６Ｅ】
2019503122.tif 000021
【図６Ｆ】
2019503122.tif 000022
【図６Ｇ】
2019503122.tif 000023
【図６Ｈ】
2019503122.tif 000024
【図７Ａ】
2019503122.tif 000025
【図７Ｂ】
2019503122.tif 000026
【図７Ｃ】
2019503122.tif 000027
【図７Ｄ】
2019503122.tif 000028
【図７Ｅ】
2019503122.tif 000029
【図７Ｆ】
2019503122.tif 000030
【図７Ｇ】
2019503122.tif 000031
【図７Ｈ】
2019503122.tif 000032
【図７Ｉ】
2019503122.tif 000033
【図８】
2019503122.tif 000034
【図９】
2019503122.tif 000035
【図１０】
2019503122.tif 000036
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
ハウジングと、
外耳道ストークと、
外表面及び内表面を含むフィルタであって、周囲音波が前記フィルタを前記外表面から前記内表面へ通り抜けて周囲音チャネルに入る、フィルタと、
内部音波を生成する１つ又は複数の音ドライバと、
前記１つ又は複数の音ドライバ、前記外耳道ストーク、及び前記周囲音チャネルのそれぞれに連結された音響低圧イコライゼーション処理装置（「ＳＬＥＤ」）であって、前記ＳＬＥＤは、内部音波及び周囲音波を前記外耳道ストークに伝える予め定められた空間容量を含み、これにより、前記内部音波の前記外耳道ストークにおける周波数応答の程度が、２０Ｈｚから始まる周波数応答の予め定められた範囲内に維持される、ＳＬＥＤとを備える、パッシブアンビエント式インイヤ型モニタ。
【請求項２】
前記外耳道ストークはイヤチップを含み、前記イヤチップは外耳道を完全にふさぐ、請求項１に記載のパッシブアンビエント式インイヤ型モニタ。
【請求項３】
前記フィルタは一方向性音響フィルタである、請求項１に記載のパッシブアンビエント式インイヤ型モニタ。
【請求項４】
前記一方向性音響フィルタは、前記内表面から前記外表面へ通り抜ける内部音波を実質的に低減させる、請求項３に記載のパッシブアンビエント式インイヤ型モニタ。
【請求項５】
前記一方向性音響フィルタは、前記外表面から前記内表面へ通り抜ける周囲音波を減衰させる、請求項３に記載のパッシブアンビエント式インイヤ型モニタ。
【請求項６】
前記周囲音波は、予め定められた減少振幅で前記一方向性音響フィルタを通り抜ける、請求項５に記載のパッシブアンビエント式インイヤ型モニタ。
【請求項７】
前記一方向性音響フィルタは、周囲音を０〜１０ｄＢ減衰させる、請求項６に記載のパッシブアンビエント式インイヤ型モニタ。
【請求項８】
前記一方向性音響フィルタは、周囲音を１０〜２５ｄＢ減衰させる、請求項６に記載のパッシブアンビエント式インイヤ型モニタ。
【請求項９】
周波数応答の予め定められた範囲が±４ｄＢである、請求項１から８のいずれか一項に記載のパッシブアンビエント式インイヤ型モニタ。
【請求項１０】
前記予め定められた空間容量は、周囲音波の減衰の程度に基づいている、請求項１から９のいずれか一項に記載のパッシブアンビエント式インイヤ型モニタ。
【請求項１１】
前記外耳道ストークにおける２０〜２００００Ｈｚにわたる前記内部音波に関する周波数応答の前記予め定められた範囲は±４ｄＢである、請求項１から１０のいずれか一項に記載のパッシブアンビエント式インイヤ型モニタ。
【請求項１２】
前記外耳道ストークにおける２０〜２００００Ｈｚにわたる前記内部音波に関する周波数応答の前記予め定められた範囲は±６ｄＢである、請求項１から１１のいずれか一項に記載のパッシブアンビエント式インイヤ型モニタ。
【請求項１３】
前記外耳道ストークにおける２０〜２０００Ｈｚにわたる前記内部音波に関する周波数応答の前記予め定められた範囲は±４ｄＢである、請求項１から１２のいずれか一項に記載のパッシブアンビエント式インイヤ型モニタ。
【請求項１４】
前記ＳＬＥＤは、前記外耳道ストークを一体化したコンポーネントである、請求項１から１３のいずれか一項に記載のパッシブアンビエント式インイヤ型モニタ。
【請求項１５】
外耳道を完全にふさぐようにインイヤ型モニタを構成する段階であって、前記インイヤ型モニタは、外耳道ストーク、１つ又は複数のドライバ、フィルタ、及び音響低圧イコライゼーション処理装置（「ＳＬＥＤ」）を含む、段階と、
前記１つ又は複数の音ドライバ、前記外耳道ストーク、及び前記フィルタのそれぞれの間に前記ＳＬＥＤを挿入する段階と、
前記１つ又は複数のドライバが内部音波を生成する段階と、
前記ＳＬＥＤが、前記フィルタを通った周囲音波と、前記１つ又は複数の音ドライバからの内部音波とを受信する段階と、
前記ＳＬＥＤが周囲音波及び内部音波を予め定められた空間容量を通って前記外耳道ストークに伝える段階であって、これにより、前記１つ又は複数の音ドライバによって生成される前記内部音波の前記外耳道ストークにおける周波数応答の程度が、２０Ｈｚから始まる周波数応答の予め定められた範囲内に維持される、段階とを備える、パッシブな周囲音をインイヤ型モニタに供給するための方法。
【請求項１６】
前記フィルタを通り抜ける内部音波を実質的に低下させる段階をさらに備える、請求項１５に記載のパッシブな周囲音をインイヤ型モニタに供給するための方法。
【請求項１７】
前記フィルタを通って受信された周囲音波を減衰させる段階をさらに備える、請求項１５に記載のパッシブな周囲音をインイヤ型モニタに供給するための方法。
【請求項１８】
前記フィルタは、周囲音波を０〜１０ｄＢ減衰させる、請求項１７に記載のパッシブな周囲音をインイヤ型モニタに供給するための方法。
【請求項１９】
前記フィルタは、周囲音波を１０〜２５ｄＢ減衰させる、請求項１７に記載のパッシブな周囲音をインイヤ型モニタに供給するための方法。
【請求項２０】
周波数応答の前記予め定められた範囲を±４ｄＢに制限する段階をさらに備える、請求項１５から１９のいずれか一項に記載のパッシブな周囲音をインイヤ型モニタに供給するための方法。
【請求項２１】
周波数応答の前記予め定められた範囲を±６ｄＢに制限する段階をさらに備える、請求項１５から２０のいずれか一項に記載のパッシブな周囲音をインイヤ型モニタに供給するための方法。
【請求項２２】
周波数応答の前記予め定められた範囲を制限する段階は、前記予め定められた空間容量に基づいている、請求項１５から２１のいずれか一項に記載のパッシブな周囲音をインイヤ型モニタに供給するための方法。
【請求項２３】
前記外耳道ストークにおける２０〜２００００Ｈｚの内部音波に関する周波数応答の前記予め定められた範囲を±４ｄＢに制限する段階をさらに備える、請求項１５から２２のいずれか一項に記載のパッシブな周囲音をインイヤ型モニタに供給するための方法。
【請求項２４】
前記外耳道ストークにおける２０〜２０００Ｈｚの内部音波に関する周波数応答の前記予め定められた範囲を±４ｄＢに制限する段階をさらに備える、請求項２３に記載のパッシブな周囲音をインイヤ型モニタに供給するための方法。
【請求項２５】
前記外耳道ストークにおける２０〜２００Ｈｚの内部音波に関する周波数応答の前記予め定められた範囲を±４ｄＢに制限する段階をさらに備える、請求項２４に記載のパッシブな周囲音をインイヤ型モニタに供給するための方法。
【国際調査報告】
2019503122.tif 000037